【手続補正書】
【提出日】平成29年9月15日(2017.9.15)
【手続補正１】
【補正対象書類名】明細書
【補正対象項目名】００３６
【補正方法】変更
【補正の内容】
【００３６】
ポリマーは、ポリアミド、ポリイミド、ポリエチレンイミン、ポリビニルアルコール、ペクチン、アルブミン（牛血清アルブミンもしくは卵アルブミン）、ゼラチン、カラギーナン、ゴム（例えば、キサンタンガム、グアーガム、アラビアゴム(arabic)、アラビアゴム(acacia)）、セルロース（例えば、ヒドロキシエチルセルロース、ヒドロキシプロピルセルロース、メチルセルロース、ヒドロキシプロピルメチルセルロースなど）、ポリ(N-ビニルピロリドン)、ポリ(N-ビニルカプロラクタム)、またはこれらの混合物であってよい。特定の実施形態において、ポリマー溶液は、ポビドン(Povidone)またはポリビドン(Polyvidone)としてもまた知られる、ポリ(N-ビニルピロリドン)である。そのような一実施形態において、ポリマーは、平均分子量が8〜360kg/mol、30〜80kg/mol、または40〜60kg/molであるポリ(N-ビニルピロリドン)である。平均分子量が40〜60kg/molであると、反応物の粘度および全般的な性能に関して優れた特性を提供する。
【手続補正２】
【補正対象書類名】明細書
【補正対象項目名】００５９
【補正方法】変更
【補正の内容】
【００５９】
ポリマーは、ポリアミド、ポリイミド、ポリエチレンイミン、ポリビニルアルコール、ペクチン、アルブミン（牛血清アルブミンもしくは卵アルブミン）、ゼラチン、カラギーナン、ゴム（例えば、キサンタンガム、グアーガム、アラビアゴム(arabic)、アラビアゴム(acacia)）、セルロース（例えば、ヒドロキシエチルセルロース、ヒドロキシプロピルセルロース、メチルセルロース、ヒドロキシプロピルメチルセルロースなど）、ポリ(N-ビニルピロリドン)、ポリ(N-ビニルカプロラクタム)、またはこれらの混合物であり得る。動物由来のポリマーは、特定の状況では望ましくないことがあり、そのため一実施形態において、ポリマーは、ポリアミド、ポリイミド、ポリエチレンイミン、ポリビニルアルコール、ペクチン、カラギーナン、ゴム（例えば、キサンタンガム、グアーガム、アラビアゴム(arabic)、アラビアゴム(acacia)）、セルロース（例えば、ヒドロキシエチルセルロース、ヒドロキシプロピルセルロース、メチルセルロース、ヒドロキシプロピルメチルセルロースなど）、ポリ(N-ビニルピロリドン)、ポリ(N-ビニルカプロラクタム)、またはこれらの混合物から選択される。特定の実施形態において、ポリマーは、ポリ(N-ビニルピロリドン)である。
【手続補正３】
【補正対象書類名】特許請求の範囲
【補正対象項目名】全文
【補正方法】変更
【補正の内容】
【特許請求の範囲】
【請求項１】
アルカリ水溶液中においてセルロース繊維を膨潤させるステップと、
膨潤したセルロース繊維をアルカリ水溶液から取り出すステップと、
膨潤したセルロース繊維を、金属塩の水溶液およびポリマー溶液と混合することにより、繊維に金属ナノ粒子を含浸させるステップと、
金属ナノ粒子を含浸させた、膨潤したセルロース繊維を溶液から取り出すステップ
とを含む、金属ナノ粒子を含浸させたセルロース繊維を製造する方法。
【請求項２】
前記金属が、銀、銅、亜鉛、セレン、金、コバルト、ニッケル、ジルコニウム、モリブデン、ガリウム、もしくは鉄、またはこれらの任意の組み合わせである、請求項１に記載の方法。
【請求項３】
前記金属が銀である、請求項１または２に記載の方法。
【請求項４】
前記アルカリ水溶液が、1族元素の水酸化物、１族元素の炭酸塩、1族元素の炭酸水素塩、水酸化テトラアルキルアンモニウム、モノアミンもしくはジアミン、およびN-メチルモルホリンオキシド(NMMO)からなる群より選択される化合物、またはその混合物と、LiClとから構成される溶液である、請求項１〜３のいずれか１項に記載の方法。
【請求項５】
前記アルカリ水溶液が、1族元素の水酸化物および１族元素の炭酸塩を含む、請求項４に記載の方法。
【請求項６】
セルロース繊維をアルカリ水溶液中で20℃〜120℃の温度でインキュベーションするステップをさらに含む、請求項１〜５のいずれか１項に記載の方法。
【請求項７】
膨潤したセルロース繊維をアルカリ水溶液から取り出した後であって、かつ膨潤したセルロース繊維を金属塩の水溶液およびポリマー溶液と混合する前に、膨潤したセルロース繊維を洗浄するステップをさらに含む、請求項１〜６のいずれか１項に記載の方法。
【請求項８】
前記ポリマーが、ポリアミド、ポリイミド、ポリエチレンイミン、ポリビニルアルコール、ペクチン、アルブミン、ゼラチン、カラギーナン、ゴム、セルロースもしくはその誘導体、ポリ（N-ビニルピロリドン）、ポリ（N-ビニルカプロラクタム）、またはこれらの混合物である、請求項１〜７のいずれか１項に記載の方法。
【請求項９】
前記ポリマーがポリ（N-ビニルピロリドン）である、請求項８に記載の方法。
【請求項１０】
金属塩の水溶液、ポリマー溶液、および膨潤したセルロース繊維の混合物を20℃〜120℃の温度でインキュベーションするステップをさらに含む、請求項１〜９のいずれか１項に記載の方法。
【請求項１１】
金属ナノ粒子を含浸させた、膨潤したセルロース繊維を溶液から取り出した後、金属ナノ粒子を含浸させた、膨潤したセルロース繊維を洗浄するステップをさらに含む、請求項１〜１０のいずれか１項に記載の方法。
【請求項１２】
前記繊維を有機溶媒で洗浄することにより、前記繊維を収縮させる、請求項１１に記載の方法。
【請求項１３】
金属ナノ粒子を含浸させたセルロース繊維を乾燥させるステップをさらに含む、請求項１〜１２のいずれか１項に記載の方法。
【請求項１４】
請求項１〜１３のいずれか１項に記載の方法により製造され得る、金属ナノ粒子を含浸させたセルロース繊維。
【請求項１５】
金属ナノ粒子が1.5 w/w ％超の濃度で含浸される、請求項１４に記載のセルロース繊維。
【請求項１６】
金属ナノ粒子の平均粒径が5〜50 nmである、請求項１４または１５に記載のセルロース繊維。
【請求項１７】
金属酸化物および／または金属炭酸塩がさらに含浸される、請求項１４〜１６のいずれか１項に記載のセルロース繊維。
【請求項１８】
前記金属が銀である、請求項１４〜１７のいずれか１項に記載のセルロース繊維。
【請求項１９】
ポリマーが更に含浸される、請求項１４〜１８のいずれか１項に記載のセルロース繊維。
【請求項２０】
前記ポリマーがポリ（N-ビニルピロリドン）である、請求項１９に記載のセルロース繊維。
【請求項２１】
実施例1.3の方法に従って測定された金属放出速度が、0.5 gの繊維当たり少なくとも30 ppm/日である、請求項１４〜２０のいずれか１項に記載のセルロース繊維。
【請求項２２】
前記繊維が、内孔表面と外側繊維表面とを有し、前記金属ナノ粒子が、内孔表面と外側繊維表面との両方に位置している、請求項１４〜２１のいずれか１項に記載のセルロース繊維。
【請求項２３】
前記セルロース繊維がリヨセル繊維である、請求項１〜１３のいずれか１項に記載の方法、または請求項１４〜２２のいずれか１項に記載のセルロース繊維。
【請求項２４】
請求項１４〜２３のいずれか１項に記載のセルロース繊維と、少なくとも１つの他の種類の繊維とのブレンドを含む、吸収材。
【請求項２５】
前記他の種類の繊維が、
アルギン酸、改質セルロース、改質キトサン、グアーガム、カラギーナン、ペクチン、デンプン、ポリアクリラートもしくはそのコポリマー、ポリエチレンオキシドもしくはポリアクリルアミド、またはこれらの混合物をベースとするゲル状繊維、および／あるいは
ポリエステル、ポリエチレン、ポリプロピレン、ポリアミド、セルロース、熱可塑性二成分系繊維、ガラス繊維、またはこれらの混合物をベースとする非ゲル状繊維である、請求項２４に記載の吸収材。
【請求項２６】
2〜30 w/w %の金属ナノ粒子を含浸させたセルロース繊維と、5〜30 w/w %のリヨセル繊維と、40〜90 w/w %のCES繊維とのブレンドを含む、請求項２４または２５に記載の吸収材。
【請求項２７】
2〜20 w/w %の金属ナノ粒子を含浸させたセルロース繊維と、10〜30 w/w %のリヨセル繊維と、50〜90 w/w %のCMC繊維とのブレンドを含む、請求項２４または２５に記載の吸収材。
【請求項２８】
ブレンド繊維の総重量に基づき0.2 w/w %超の金属を含む、請求項２４〜２７のいずれか１項に記載の吸収材。
【請求項２９】
前記吸収材が、15グラム超の液体／吸収材1グラムの吸収性を有する、請求項２４〜２８のいずれか１項に記載の吸収材。
【請求項３０】
請求項２４〜２９のいずれか１項に記載の吸収材を含む吸収材物品。
【請求項３１】
前記吸収材物品が創傷被覆材である、請求項３０に記載の吸収材物品。
【請求項３２】
ブレンド繊維の総重量に基づき0.5〜5 w/w %の金属を含む、請求項３０または３１に記載の吸収材物品。